(57)【要約】【課題】転写媒体上の画像の異常の誤検知を防止する。【解決手段】画像形成装置は、転写媒体に画像を形成する画像形成部と、転写媒体上の画像を読み取る画像読取部と、画像形成部を制御する制御部とを有し、制御部は、転写媒体上の画像を画像読取部で読み取った第１の読取結果を取得して画像を解析する機能を有し、解析において読み取った画像に異常があり、異常が所定の異常であると判定した場合、画像読取部における異常を除去する処理を行い、除去処理後の画像読取部によって転写媒体上の画像を読み取った第２の読取結果を取得し、第２の読取結果に基づいて画像を解析し、解析における異常の状態に応じて、第１の読取結果の対象となった転写媒体上の画像の異常をさらに判定する。【選択図】図４
2018088620.tif 000002
【特許請求の範囲】
【請求項１】
転写媒体に画像を形成する画像形成部と、
前記画像形成部を制御する制御部と、を有し、
前記制御部は、前記転写媒体上の画像を画像読取部で読み取った第１の読取結果を取得して画像を解析する機能を有し、
前記解析において読み取った画像に異常があり、前記異常が所定の異常であると判定した場合、前記画像読取部における異常を除去する処理を行い、除去処理後の前記画像読取部によって転写媒体上の画像を読み取った第２の読取結果を取得し、前記第２の読取結果に基づいて画像を解析し、前記解析における異常の状態に応じて、第１の読取結果の対象となった転写媒体上の画像の異常をさらに判定することを特徴とする画像形成装置。
【請求項２】
前記所定の異常が、前記画像読取部の異常に起因する可能性があるものであることを特徴とする請求項１記載の画像形成装置。
【請求項３】
前記所定の異常が、画像形成用画像データに基づかない、転写媒体搬送方向に連続する画像であることを特徴とする請求項１記載の画像形成装置。
【請求項４】
前記制御部は、前記第１の読取結果における所定の異常部分が、前記第２の読取結果で同一の位置に検知されなければ、前記第１の読取結果の対象となった転写媒体上の画像には異常がないと判定することを特徴とする請求項２または３に記載の画像形成装置。
【請求項５】
前記制御部は、前記第２の読取結果の解析において画像に異常がなく、前記第１の読取結果における異常が前記画像読取部の異常に起因すると判定する場合、前記第１の読取結果の対象となった転写媒体上の画像には異常がないと判定することを特徴とする請求項１〜４のいずれか１項に記載の画像形成装置。
【請求項６】
異常を除去する前記処理は、前記画像読取部の読取り経路における付着物の除去に関するものであることを特徴とする請求項１〜６のいずれか１項に記載の画像形成装置。
【請求項７】
前記付着物が転写媒体屑であることを特徴とする請求項６記載の画像形成装置。
【請求項８】
前記制御部は、異常を除去する前記処理をページ間で行うことを特徴とする請求項１〜７のいずれ１項に記載の画像形成装置。
【請求項９】
転写媒体上において、第１の読取結果で画像に所定の異常があった場合、その後の画像では、読取結果の解析を行うことなく異常を除去する前記処理を行い、前記処理後の画像において読み取りを行って第２の読取結果を得ることを特徴とする請求項１〜８のいずれか１項に記載の画像形成装置。
【請求項１０】
前記転写媒体が連続転写媒体であることを特徴とする請求項９記載の画像形成装置。
【請求項１１】
前記制御部は、読取結果の解析を行っていない画像について報知を行うことを特徴とする請求項９または１０に記載の画像形成装置。
【請求項１２】
前記制御部は、前記報知では、解析を行っていない画像を前記ジョブの末尾後に出力することを特徴とする請求項１１記載の画像形成装置。
【請求項１３】
前記制御部は、前記第１の読取結果と前記第２の読取結果の双方で異常があると判定した場合、所定の異常処理を行うことを特徴とする請求項１〜１２のいずれか１項に記載の画像形成装置。
【請求項１４】
前記制御部は、第１の読取結果における異常が所定の異常以外の異常である場合、所定の異常処理を行うことを特徴とする請求項１〜１３のいずれか１項に記載の画像形成装置。
【請求項１５】
前記制御部は、前記所定の異常処理として、ジョブの出力を停止することを特徴とする請求項１３または１４に記載の画像形成装置。
【請求項１６】
前記制御部は、前記所定の異常処理として、転写媒体をヤレと判定することを特徴とする請求項１３〜１５のいずれか１項に記載の画像形成装置。
【請求項１７】
前記制御部は、前記所定の異常処理として、ユーザーへの報知を行うことを特徴とする請求項１３〜１６のいずれか１項に記載の画像形成装置。
【請求項１８】
前記報知では、画像読取部の清掃または／および点検を促すことを特徴とする請求項１７記載の画像形成装置。
【請求項１９】
転写媒体の排出先を、通常排出先と不良排出先とに切り替え可能な排出切替部を有し、
前記制御部は、所定の異常処理として、転写媒体の排出先を不良排出先に切り替えて出力を行うことを特徴とする請求項１３〜１８のいずれか１項に記載の画像形成装置。
【請求項２０】
データを読み出し可能に格納する記憶部を有し、
前記制御部は、読み取りで最終的に異常と判定されたページを前記記憶部に格納することを特徴とする請求項１〜１９のいずれか１項に記載の画像形成装置。
【請求項２１】
前記画像の解析が、ヤレ検知または画質調整のためであることを特徴とする請求項１〜２０のいずれか１項に記載の画像形成装置。
【請求項２２】
前記制御部は、ヤレ検知の解析において、前記画像読取部で読み取った読取結果と、前記ジョブの印刷用画像データにおける印刷画像とを比較して、異常の有無を判定することを特徴とする請求項２１記載の画像形成装置。
【請求項２３】
転写媒体上の画像を読み取って読取結果を取得する画像読取部と、
前記画像読取部を制御する読取制御部と、を有し、
前記読取制御部は、前記転写媒体上の画像を画像読取部で読み取った第１の読取結果を取得して画像を解析する機能を有し、前記解析において読み取った画像に所定の異常があると判定した場合、前記画像読取部における異常を除去する処理を行い、除去処理後の前記画像読取部によって転写媒体上の画像を読み取った第２の読取結果を取得し、前記第２の読取結果に基づいて画像を解析し、前記解析における異常の状態に応じて、第１の読取結果の対象となった転写媒体上の画像の異常をさらに判定することを特徴とする特徴とする画像読取装置。
【請求項２４】
転写媒体上の画像を読み取る画像読取部を制御する情報処理制御部を有する情報処理装置であって、
前記情報処理制御部は、前記転写媒体上の画像を画像読取部で読み取った第１の読取結果を取得して画像を解析する機能を有し、前記解析において読み取った画像に所定の異常があると判定した場合、前記画像読取部における異常を除去する処理を行い、除去処理後の前記画像読取部によって転写媒体上の画像を読み取った第２の読取結果を取得し、前記第２の読取結果に基づいて画像を解析し、前記解析における異常の状態に応じて、第１の読取結果の対象となった転写媒体上の画像の異常をさらに判定することを特徴とする特徴とする情報処理装置。
【請求項２５】
転写媒体上の画像を読み取る画像読取部を制御するコンピュータで実行されるプログラムであって、
転写媒体上の画像を読み取った第１の読取結果を取得するステップと、
前記第１の読取結果に基づいて画像を解析するステップと、
前記解析において読み取った画像に所定の異常があるかを判定するステップと、
所定の異常がある場合に、画像読取部における異常を除去する処理を行うステップと、
除去処理後の前記画像読取部によって転写媒体上の画像を読み取った第２の読取結果を取得するステップと、
前記第２の読取結果に基づいて画像を解析するステップと、
前記解析における異常の状態に応じて、第１の読取結果の対象となった転写媒体上の画像の異常をさらに判定するステップと、を有することを特徴とするプログラム。
【発明の詳細な説明】
【技術分野】
【０００１】
本発明は、転写媒体上の画像の読取結果に基づいて画像の解析を行うことが可能な画像形成装置、画像読取装置、情報処理装置およびプログラムに関する。
【背景技術】
【０００２】
画像形成装置の分野では、用紙の画像を読み取った読取画像データを用いて、画質調整や画像の異常の判定を行っている。例えば、用紙の挿入紙や断裁代などに調整用画像を印刷し、これを読み取って画質の調整を行ったり、読取画像と印刷用の画像データとを比較して、印刷された画像が一致しない場合に異常判定したりすることが可能な装置が知られている。また、調整用画像を読み取る場合にも、調整不能などによって画像の異常を判定することができる。
画像が異常であると判定された場合はヤレとされ、出力の停止やヤレ紙を通常とは異なる排出先への排紙などが行われる。
【０００３】
一方、この装置では用紙を搬送しながら画像の読み取りを行うため、画像読取部に埃や紙粉が付着しやすい。画像読取部に埃や紙粉が付着すると、印刷された画像に異常がない場合でも読取画像上に埃や紙粉に起因する画像が含まれてしまい、この読取画像に基づいて解析を行うと、画像に異常があると判定されてしまう。
そこで、読取画像で異常が検出された場合に、読取画像の異常が読取部の汚れ等に起因するものなのかを判定する方法が提案されている。
例えば、特許文献１では、読取画像に縦スジが含まれる場合、読取ガラスを移動して再度読取を行い、移動前後での読取画像における縦スジ位置の変化に基づいて縦スジの原因を解析している。
【先行技術文献】
【特許文献】
【０００４】
【特許文献１】特開２０１４−２０００６２号公報
【発明の概要】
【発明が解決しようとする課題】
【０００５】
しかし、特許文献１に記載されている技術では読取画像の縦スジの原因の特定を行っているが、読取画像の縦スジが読取ガラスの異常に起因するものであったと判定した後の動作については記載されていない。そのため、ヤレの原因がスキャナー側の異常であった場合、ヤレと誤検知された用紙がそのままヤレとして扱われてしまうという問題がある。
【０００６】
本発明は上記事情を背景としてなされたものであり、転写媒体上の画像の異常の誤検知を防止することが可能な画像形成装置、画像読取装置、情報処理装置およびプログラムに関する。
【課題を解決するための手段】
【０００７】
すなわち、本発明の画像形成装置のうち、第１の形態は、
転写媒体に画像を形成する画像形成部と、
前記画像形成部を制御する制御部と、を有し、
前記制御部は、前記転写媒体上の画像を画像読取部で読み取った第１の読取結果を取得して画像を解析する機能を有し、
前記解析において読み取った画像に異常があり、前記異常が所定の異常であると判定した場合、前記画像読取部における異常を除去する処理を行い、除去処理後の前記画像読取部によって転写媒体上の画像を読み取った第２の読取結果を取得し、前記第２の読取結果に基づいて画像を解析し、前記解析における異常の状態に応じて、第１の読取結果の対象となった転写媒体上の画像の異常をさらに判定することを特徴とする。
【０００８】
他の形態の画像形成装置の発明は、前記形態の画像形成装置において、前記所定の異常が、前記画像読取部の異常に起因する可能性があるものであることを特徴とする。
【０００９】
他の形態の画像形成装置の発明は、前記形態の画像形成装置において、前記所定の異常が、画像形成用画像データに基づかない、転写媒体搬送方向に連続する画像であることを特徴とする。
【００１０】
他の形態の画像形成装置の発明は、前記形態の画像形成装置において、前記制御部は、前記第１の読取結果における所定の異常部分が、前記第２の読取結果で同一の位置に検知されなければ、前記第１の読取結果の対象となった転写媒体上の画像には異常がないと判定することを特徴とする。
【００１１】
他の形態の画像形成装置の発明は、前記形態の画像形成装置において、前記制御部は、前記第２の読取結果の解析において画像に異常がなく、前記第１の読取結果における異常が前記画像読取部の異常に起因すると判定する場合、前記第１の読取結果の対象となった転写媒体上の画像には異常がないと判定することを特徴とする。
【００１２】
他の形態の画像形成装置の発明は、前記形態の画像形成装置において、異常を除去する前記処理は、前記画像読取部の読取り経路における付着物の除去に関するものであることを特徴とする。
【００１３】
他の形態の画像形成装置の発明は、前記形態の画像形成装置において、前記付着物が転写媒体屑であることを特徴とする。
【００１４】
他の形態の画像形成装置の発明は、前記形態の画像形成装置において、前記制御部は、異常を除去する前記処理をページ間で行うことを特徴とする。
【００１５】
他の形態の画像形成装置の発明は、前記形態の画像形成装置において、転写媒体上において、第１の読取結果で画像に所定の異常があった場合、その後の画像では、読取結果の解析を行うことなく異常を除去する前記処理を行い、前記処理後の画像において読み取りを行って第２の読取結果を得ることを特徴とする。
【００１６】
他の形態の画像形成装置の発明は、前記形態の画像形成装置において、前記転写媒体が連続転写媒体であることを特徴とする。
【００１７】
他の形態の画像形成装置の発明は、前記形態の画像形成装置において、前記制御部は、読取結果の解析を行っていない画像について報知を行うことを特徴とする。
【００１８】
他の形態の画像形成装置の発明は、前記形態の画像形成装置において、前記制御部は、前記報知では、解析を行っていない画像を前記ジョブの末尾後に出力することを特徴とする。
【００１９】
他の形態の画像形成装置の発明は、前記形態の画像形成装置において、前記制御部は、前記第１の読取結果と前記第２の読取結果の双方で異常があると判定した場合、所定の異常処理を行うことを特徴とする。
【００２０】
他の形態の画像形成装置の発明は、前記形態の画像形成装置において、前記制御部は、第１の読取結果における異常が所定の異常以外の異常である場合、所定の異常処理を行うことを特徴とする。
【００２１】
他の形態の画像形成装置の発明は、前記形態の画像形成装置において、前記制御部は、前記所定の異常処理として、ジョブの出力を停止することを特徴とする。
【００２２】
他の形態の画像形成装置の発明は、前記形態の画像形成装置において、前記制御部は、前記所定の異常処理として、転写媒体をヤレと判定することを特徴とする。
【００２３】
他の形態の画像形成装置の発明は、前記形態の画像形成装置において、前記制御部は、前記所定の異常処理として、ユーザーへの報知を行うことを特徴とする。
【００２４】
他の形態の画像形成装置の発明は、前記形態の画像形成装置において、前記報知では、画像読取部の清掃または／および点検を促すことを特徴とする。
【００２５】
他の形態の画像形成装置の発明は、前記形態の画像形成装置において、転写媒体の排出先を、通常排出先と不良排出先とに切り替え可能な排出切替部を有し、
前記制御部は、所定の異常処理として、転写媒体の排出先を不良排出先に切り替えて出力を行うことを特徴とする。
【００２６】
他の形態の画像形成装置の発明は、前記形態の画像形成装置において、データを読み出し可能に格納する記憶部を有し、
前記制御部は、読み取りで最終的に異常と判定されたページを前記記憶部に格納することを特徴とする。
【００２７】
他の形態の画像形成装置の発明は、前記形態の画像形成装置において、前記画像の解析が、ヤレ検知または画質調整のためであることを特徴とする。
【００２８】
他の形態の画像形成装置の発明は、前記形態の画像形成装置において、前記制御部は、ヤレ検知の解析において、前記画像読取部で読み取った読取結果と、前記ジョブの印刷用画像データにおける印刷画像とを比較して、異常の有無を判定することを特徴とする。
【００２９】
本発明の画像読取装置のうち、第１の形態は、
転写媒体上の画像を読み取って読取結果を取得する画像読取部と、
前記画像読取部を制御する読取制御部と、を有し、
前記読取制御部は、前記転写媒体上の画像を画像読取部で読み取った第１の読取結果を取得して画像を解析する機能を有し、前記解析において読み取った画像に所定の異常があると判定した場合、前記画像読取部における異常を除去する処理を行い、除去処理後の前記画像読取部によって転写媒体上の画像を読み取った第２の読取結果を取得し、前記第２の読取結果に基づいて画像を解析し、前記解析における異常の状態に応じて、第１の読取結果の対象となった転写媒体上の画像の異常をさらに判定することを特徴とする。
【００３０】
本発明の情報処理装置のうち、第１の形態は、転写媒体上の画像を読み取る画像読取部を制御する情報処理制御部を有する情報処理装置であって、
前記情報処理制御部は、前記転写媒体上の画像を画像読取部で読み取った第１の読取結果を取得して画像を解析する機能を有し、前記解析において読み取った画像に所定の異常があると判定した場合、前記画像読取部における異常を除去する処理を行い、除去処理後の前記画像読取部によって転写媒体上の画像を読み取った第２の読取結果を取得し、前記第２の読取結果に基づいて画像を解析し、前記解析における異常の状態に応じて、第１の読取結果の対象となった転写媒体上の画像の異常をさらに判定することを特徴とする。
【００３１】
本発明のプログラムのうち、第１の形態は、転写媒体上の画像を読み取る画像読取部を制御するコンピュータで実行されるプログラムであって、
転写媒体上の画像を読み取った第１の読取結果を取得するステップと、
前記第１の読取結果に基づいて画像を解析するステップと、
前記解析において読み取った画像に所定の異常があるかを判定するステップと、
所定の異常がある場合に、画像読取部における異常を除去する処理を行うステップと、
除去処理後の前記画像読取部によって転写媒体上の画像を読み取った第２の読取結果を取得するステップと、
前記第２の読取結果に基づいて画像を解析するステップと、
前記解析における異常の状態に応じて、第１の読取結果の対象となった転写媒体上の画像の異常をさらに判定するステップと、を有することを特徴とする。
【発明の効果】
【００３２】
本発明によれば、転写媒体上の画像の異常の誤検知を防止することが可能となる。
【図面の簡単な説明】
【００３３】
【図１】本発明の一実施形態における画像形成装置の機械的概略を示す図である。
【図２】同じく、電気ブロック図を示す図である。
【図３】同じく、画像読取部のセンサーにゴミが付着した際の読取画像を説明する図である。
【図４】同じく、読取結果におけるヤレ解析とその後の処理の手順を示すフローチャートである。
【図５】本発明の他の形態における読取結果におけるヤレ解析とその後の処理の手順を示すフローチャートである。
【図６】同じく、さらに他の形態における読取結果におけるヤレ解析とその後の処理の手順を示すフローチャートである。
【図７】同じく、ロール紙上の画像の読み取り時に画像読取部のセンサーにゴミが付着した際の読取画像を説明する図である。
【図８】同じく、さらに他の形態における読取結果におけるヤレ解析とその後の処理の手順を示すフローチャートである。
【図９】同じく、さらに他の形態における読取結果におけるヤレ解析とその後の処理の手順を示すフローチャートである。
【発明を実施するための形態】
【００３４】
（実施形態１）
以下、本発明の一実施形態を添付図面に基づいて説明する。
画像形成装置１は、図１に示すように、用紙の搬送方向上流側から順に、大容量給紙装置４０、装置本体１０、読取装置２０、後処理装置３０を有している。各装置は電気的および機械的に接続されており、装置間での用紙の搬送および通信が可能となっている。
なお、画像形成装置１における装置の数や種類は上記構成に限定されず、他の装置が接続されていてもよく、また、装置本体１０と読取装置２０とによって画像形成装置１が構成されていてもよく、さらには装置本体１０のみによって画像形成装置１が構成されていてもよい。上記装置の一部で画像形成装置が構成される場合、その他の装置と合わせて画像形成システムを構成するものであってもよい。
【００３５】
大容量給紙装置４０は用紙を収納可能な構成を有しており、大容量給紙装置４０内の用紙は装置本体１０へ搬送可能となっている。この実施形態では、用紙は本発明の転写媒体に相当する。なお、本発明としては転写媒体が紙に限定されるものではなく、例えばプラスチックや布等からなるものでもよい。または、ロール紙や連続帳票用紙などの連続転写媒体を用いることも可能である。
【００３６】
装置本体１０は、筺体上部に自動原稿給送装置（ＡＤＦ）１４を備えている。自動原稿給送装置（ＡＤＦ）１４は原稿の給送を行い、給送された原稿は図１には示していないスキャナー部で読み取りが行われる。
【００３７】
装置本体１０は、さらに、筺体上部に操作部１４０を備えている。操作部１４０はタッチパネルを有するＬＣＤ１４１を備えており、ＬＣＤ１４１において情報の表示が可能であるほか、ＬＣＤ１４１のタッチパネルを通じて操作入力を受け付けることができる。さらに、操作部をマウスやキーボードなどで構成し、表示部とは別体で構成することも可能である。
【００３８】
装置本体１０の筺体内部の下方側には給紙トレイ１２が備えられている。給紙トレイ１２は複数の給紙段を有しており、各給紙段には用紙が収納され、用紙は搬送路１３への搬送が可能となっている。用紙は、本発明の転写媒体に相当する。
【００３９】
装置本体１０には、搬送路１３を有しており、上流側の大容量給紙装置４０と画像読取装置２０の搬送路２３に連なっている。
搬送路１３の途中の周辺には画像形成部１１が設けられている。画像形成部１１は、各色（シアン（Ｃ）、マゼンタ（Ｍ）、イエロー（Ｙ）、ブラック（Ｋ））用にそれぞれ感光体１１ａを有しており、各感光体１１ａの周囲には、図示しない帯電器、ＬＤ、現像器を有している。さらに、画像形成部１１は、感光体１１ａの画像が転写される中間転写ベルト１１ｂ、および中間転写ベルト１１ｂの画像を用紙に転写する二次転写部１１ｃを有している。
【００４０】
二次転写部１１ｃの下流側の搬送路１３の周辺には、画像が形成された用紙の定着を行う定着器１１ｄが配置されている。
上記した感光体１１ａ、図示しない帯電器、ＬＤ、現像器、中間転写ベルト１１ｂ、二次転写部１１ｃ、定着器１１ｄなどによって画像形成部１１が構成されている。なお、画像形成部としては、単色で画像形成を行うものであってもよく、単色のみが印刷可能な画像形成部であってもよい。
【００４１】
また、搬送路１３では、定着器１１ｄの下流側で反転搬送路１３ａが分岐している。反転搬送路１３ａからは、下流搬送路１３ｃが分岐しており、その下流側では退避搬送路１３ｂが分岐している。反転搬送路１３ａは、退避搬送路１３ｂが分岐した以降の下流側では、画像形成部１１よりも上流側で搬送路１３に合流しており、下流搬送路１３ｃは、反転搬送路１３ａが分岐した位置よりも下流側で搬送路１３に合流している。
【００４２】
反転搬送路１３ａに搬送された用紙は、フェイス面切り替えのみを行う場合は、一旦退避搬送路１３ｂに送られた後、逆走して下流搬送路１３ｃに送られる。下流搬送路１３ｃに送られる用紙は、フェイス面の切り替えが行われた状態で搬送路１３を通って下流側に搬送される。
用紙を反転して画像形成部１１に環流する場合、反転搬送路１３ａから一旦退避搬送路１３ｂに用紙を送った後、逆走させて下流側の反転搬送路１３ａに送り、画像形成部１１の上流側で搬送路１３に合流させて用紙の裏面側への画像形成を行う。
【００４３】
装置本体１０の制御部１００は、画像形成装置１全体を制御するものであり、ＣＰＵやＣＰＵで実行されるプログラム、パラメータや作業領域となる記憶部などによって構成される。また、画像読取結果を受けて画像の解析を行う機能を有している。さらに、解析において読み取った画像に異常があるかの判定、前記異常が所定の異常であるかの判定、画像読取部における異常を除去する処理の実行、除去処理後の前記画像読取部によって転写媒体上の画像を読み取った読取結果を取得し、その読取結果に基づいて画像を解析し、前記解析における異常の状態に応じて、第１の読取結果の対象となった転写媒体上の画像の異常をさらに判定することができる。制御部１００で実行されるプログラムには、本発明のプログラムが含まれており、制御部１００のハードウェアは、本発明で示すコンピュータに相当する。
【００４４】
装置本体１０の排紙側には読取装置２０（以下適宜ＩＣＣＵと称する）が接続されている。装置本体１０の搬送路１３は読取装置２０の搬送路２３に接続されている。
読取装置２０は、搬送路２３の途中付近に画像読取部２４を備えている。画像読取部２４はＣＭＯＳセンサーやＣＣＤセンサー等によるラインセンサーによって構成され、搬送路２３で搬送される用紙上の画像を読み取り、読取画像データを読み取り結果として制御部１００へ送信することができる。
なお、本実施形態では、画像読取部を画像形成装置に含むものとして説明したが、画像形成装置外に画像読取部を有し、画像読取部の読取結果を画像形成装置で取得可能とするものであればよく、例えば、画像形成装置に画像読取装置をインラインで接続したり、画像読取部と画像形成装置とをネットワークなどで接続して読取結果を画像形成装置に送信可能としたりしてもよい。また、読取結果を取り外し可能な記録媒体に格納して画像形成装置に記録媒体を接続することで読取結果を取得可能とするものであってもよい。
【００４５】
さらに、画像読取部２４の周囲に図示しないクリーニング部が備えられており、クリーニング部は画像読取部２４のセンサーの清掃を行うことができる。センサーの清掃方法は本発明としては特に限定されず、例えば、ブラシによる清掃、気体の噴射や振動による清掃等が挙げられる。これらのいずれかの方法によりセンサーに付着した紙粉等の除去が可能であり、複数の清掃機能を備えるものであってもよい。クリーニング部は短時間での清掃を行う簡易清掃が可能であり、搬送される用紙間でのセンサーの清掃を行うことができる。この実施形態では、読取装置２０は、本発明の画像読取装置に相当する。
【００４６】
搬送路２３は途中で反転搬送路２３ａが分岐しており、画像読取部２４を挟むようにして反転搬送路２３ａの両端が搬送路２３に接続されている。また、反転搬送路２３ａの搬送方向下流側で退避搬送路２３ｂが分岐している。反転搬送路２３ａは、退避搬送路２３ｂの分岐点よりも下流側で、画像読取部２４よりも上流側の搬送路２２に合流している。
【００４７】
両面の読み取りを行う場合は、画像読取部２４を通過した用紙は、搬送路２３から反転搬送路２３ａに送られて退避搬送路２３ｂに待避搬送され、その後、下流側の反転搬送路２３ａに戻されて、フェイス面の切り替えが行われた状態で反転搬送路２３ａを順方向に送られて搬送路２３に環流される。環流された用紙は、表裏が反転しており、先に画像読取部で読み取られた面と反対側の面に印刷された画像が、画像読取部２４で読み取られる。
【００４８】
なお、片面の画像読み取りのみを行い、フェイス面の切り替えを行わない場合は、反転搬送路２３ａに送ることなく搬送路２３をストレートに搬送する。
さらに、画像読取部２４を、用紙搬送面の表裏にそれぞれ配置して、用紙の反転を行うことなく、用紙の表面および裏面の画像を一度に読み込める構成としてもよい。  
読取装置２０の下流側には後処理装置３０が接続されており、読取装置２０に備える搬送路２３の下流側は、後処理装置３０の搬送路３３に接続されている。
【００４９】
後処理装置３０の搬送路３３は、途中で分岐して第１排紙部３１および第２排紙部３２に接続されており、第２排紙部３２に至る搬送路３３の中途に後処理部３４が設けられている。後処理部３４では所定の後処理が実行される。後処理としてはステープル、パンチ、冊子処理などの適宜の処理が挙げられる。後処理を行わない用紙は第１排紙部３１に排紙される。
搬送路２３で送られる用紙は、後処理装置３０の搬送路３３に送られて、後処理を行うことなく第１排紙部３１へ排紙されるか、後処理部３４で所定の後処理が行われて第２排紙部３２に排紙される。後処理部３４は複数の後処理を行うものであってもよい。
さらに、後処理装置３０では、出力される用紙がヤレであるかによって排紙先を変えることができる。例えば、異常のない通常の用紙は第２排紙部３２へ排紙し、ヤレ紙と検知された用紙は第１排紙部３１へ排紙することができる。
【００５０】
なお、上記実施形態では、カラーの画像形成を前提にして説明しているが、画像形成装置が単色の画像形成部を有するものであってもよい。
【００５１】
次に、画像形成装置１の制御ブロックを図２に基づいて説明する。
図２は、本実施形態のデジタル複合機（コピア・プリンタ・スキャナー）として機能する画像形成装置１の回路ブロック図および画像形成システムを構成するネットワーク構成を示す図である。なお、図２では、装置本体１０以外の制御構成は省略している。
【００５２】
画像形成装置１は、デジタルコピア本体と、画像処理部（プリント＆スキャナーコントローラー）１６０とを備えている。デジタルコピア本体は、制御ブロック１１０とスキャナー部１３０と操作部１４０とプリンター部１５０とを有している。画像処理部（プリント＆スキャナーコントローラー）１６０は、ＬＡＮ３を通して外部装置４などの外部機器から入力される画像データを処理し、またはスキャナー部１３０で得た画像データを、ＬＡＮ３を通して外部装置４などの外部機器に転送可能にする。
【００５３】
なお、外部装置４は、端末として機能する装置や画像形成装置１を管理する装置などとして用いることができる。外部装置４は、外部装置４の制御を行う外部装置制御部４００と表示操作を行う表示操作部４１０とを有している。外部装置制御部４００は、ＣＰＵやＣＰＵを動作させるプログラム、記憶部などによって構成することができる。また、外部装置制御部４００は、画像形成装置１と通信を行って情報処理を行うこともでき、この場合、外部装置制御部４００は、画像形成装置と接続され、画像形成装置に関する情報を扱う情報処理制御部として機能することができ、外部装置４は本発明の情報処理装置に相当する。また、情報処理装置は画像形成装置を制御する管理装置として機能するものであってもよく、画像形成装置１の画像形成を制御するものとしてもよい。なお、ネットワーク３は、ＬＡＮの他にＷＡＮとして使用されるものであってもよく、無線、有線を問わない。
【００５４】
外部装置制御部４００で、画像読取結果を解析して異常の有無や、画像読取部における異常を除去する処理、除去処理後の画像読取部によって転写媒体上の画像を読み取った第２の読取結果を取得し、第２の読取結果に基づいて画像を解析し、解析における異常の状態に応じて、第１の読取結果の対象となった転写媒体上の画像の異常をさらに判定する場合、外部装置制御部４００で実行されるプログラムは、本発明のプログラムに相当する。
したがって、この場合、情報処理制御部のハードウェアは、本発明のコンピュータに相当する。
なお、本発明のプログラムは、持ち運び可能な記憶部などに格納されて流通、移動するものであってもよく、また、ネットワークなどを通して外部装置制御部４００の記憶部に格納されたものであってもよい。
【００５５】
制御ブロック１１０は、ＰＣＩバス１１２を有しており、該ＰＣＩバス１１２にＤＲＡＭ制御ＩＣ１１１が接続されている。ＤＲＡＭ制御ＩＣは、ＰＣＩバス１１２を介して画像処理部（プリント＆スキャナーコントローラー）１６０のＤＲＡＭ制御ＩＣ１６１に接続されている。
さらに、ＤＲＡＭ制御ＩＣ１１１には、圧縮メモリー１２１とページメモリー１２２とからなる画像メモリー１２０が接続されている。圧縮メモリー１２１は、ジョブ管理情報や原稿などの圧縮画像データを格納するためのメモリーであり、ページメモリー１２２は、画像形成前にプリント対象の非圧縮画像データを一時的に格納するためのメモリーである。
【００５６】
ＰＣＩバス１１２にはＨＤＤ１２７が接続されている。ＨＤＤ１２７は情報の保存が可能であり、画像形成装置１や、画像処理部（プリント＆スキャナーコントローラー）１６０に接続される外部装置４などにより生成されたジョブ等を保存する。ＨＤＤ１２７には、複数のジョブの保存が可能である。各ジョブには、ジョブ全体の情報とページ単位の情報と画像データと印刷条件とが含まれている。また、ジョブの印刷条件には、リアルタイムの異常判定のＯＮ／ＯＦＦ設定情報や印刷する用紙の種別などの情報が含まれているものであってもよい。
【００５７】
制御ブロック１１０は制御ＣＰＵ１１３を備えており、制御ＣＰＵ１１３にＤＲＡＭ制御ＩＣ１１１が接続されている。
制御ＣＰＵ１１３には、ＲＯＭ１１４と不揮発メモリー１１５が接続されている。不揮発メモリー１１５には、制御ＣＰＵ１１３で実行されるプログラムや画像形成装置における設定データ、画像形成条件を含むプロセス制御パラメータなどが格納されている。
【００５８】
不揮発メモリー１１５には、さらに、プログラムや、後述する異常判定を実施するためのプログラム、異常検出用のパラメータ、読取画像の異常が画像読取部の異常によるかを判定するためのプログラムやパラメータ、画像読取部２４の清掃や点検を行うためのプログラムなどが参照可能に格納されている。不揮発メモリー１１５のデータは、読み書き可能とするものであってもよい。なお、これらの内容の一部または全部を、ＲＯＭ１１４やＨＤＤ１２７、ＲＡＭなどに格納するものであってもよい。さらに不揮発メモリー１１５やＨＤＤ１２７には、ヤレとなった用紙のページ情報などを格納することができる。この場合、不揮発メモリー１１５やＨＤＤ１２７は本発明の記憶部に相当する。
ＲＯＭ１１４には、上記制御ＣＰＵ１１３で所定の動作を実行させるためのプログラムが読み出し可能に格納されている。なお、プログラムは、外部から提供されて不揮発メモリーやＨＤＤなどに格納されるものであってもよい。なお、本発明のプログラムは、持ち運び可能な記憶部などに格納されて流通、移動するものであってもよく、また、ネットワークなどを通して外部装置制御部４００の記憶部に格納されたものであってもよい。
【００５９】
制御ＣＰＵ１１３は、ＲＯＭ１１４や不揮発メモリー１１５に格納された不揮発データを読み取ることが可能であり、また、所望のデータを不揮発データとして不揮発メモリー１１５に書き込むことが可能である。制御ＣＰＵ１１３は、上記設定データなどに従って画像形成装置１の各部を動作制御する。
【００６０】
制御ＣＰＵ１１３は、画像形成装置１全体を制御するものであり、ＲＯＭ１１４に格納されたプログラムや、不揮発メモリー１１５などとともに本発明の制御部１００を構成する。
制御ＣＰＵ１１３は、画像データの取得や画像出力のための制御のほか、画像形成装置の調整を実施するための制御、画像形成装置の機内情報の取得等を行う。
さらに、制御ＣＰＵ１１３にはＩＯ１２８が接続されており、画像形成装置１内の各種センサーの信号が取得可能になっており、画像読取部２４における画像の読み取り結果を、ＩＯ１２８を通じて取得することができる。
【００６１】
スキャナー部１３０は、光学読み取りを行うＣＣＤ１３１と、スキャナー部１３０全体の制御を行うスキャナー制御部１３２とを備えている。スキャナー制御部１３２は、制御ＣＰＵ１１３とシリアル通信可能に接続されている。また、ＣＣＤ１３１は読み取り処理部１１６に接続され、読み取り処理部１１６は圧縮ＩＣに接続されている。読み取り処理部１１６はＣＣＤ１３１で読み取った画像データの処理を行い、圧縮ＩＣ１１８は画像データの圧縮処理を行う。圧縮ＩＣ１１８はＤＲＡＭ制御ＩＣ１１１に接続されている。
【００６２】
操作部１４０は、ＬＣＤ１４１と、操作部全体を制御する操作部制御部１４２とを備えている。操作部１４０は、表示部と操作部とを兼ねている。操作部制御部１４２は制御ＣＰＵ１１３にシリアル通信可能に接続されており、操作部１４０で入力された情報を制御ＣＰＵ１１３に送信し、また、制御ＣＰＵ１１３の指令によって所定の画像表示を行うことができる。
【００６３】
操作部１４０では、画像形成装置１の各部に関する設定を行うことが可能であり、設定内容に基づいて、制御ＣＰＵ１１３が画像形成、用紙の搬送や後処理が制御される。さらに、操作部１４０では、画像形成装置１における印刷設定や動作制御条件などの機械設定入力、出力などに関する設定や、各給紙トレイの用紙情報の設定（サイズ、紙種）や、出力モード設定（例えば通常コピーモード、確認コピーモード）、ジョブのリアルタイム異常判定のＯｎＯｆｆや画質調整の指示などを含めた設定などが可能になっている。また、操作部１４０は、設定内容の表示、通知の表示など、所望の情報等の表示が可能になっている。したがって、用紙がヤレである場合、操作部１４０にその旨や画像読取部に対する清掃や点検を促す表示を行うことができる。
【００６４】
また、ＤＲＡＭ制御ＩＣ１１１には伸長ＩＣ１２５が接続されており、伸長ＩＣ１２５には書き込み処理部１２６が接続されている。伸長ＩＣ１２５は、圧縮された画像データを伸長する。書き込み処理部１２６は、プリンター部１５０のＬＤ１５１Ａ（レーザダイオード）に接続され、ＬＤ１５１Ａの動作に用いられる書き込みデータの処理を行う。また、プリンター部１５０は、プリンター部１５０の全体（給紙、画像形成、排紙、後処理など）を制御するプリンター制御部１５２を備えており、プリンター制御部１５２は画像制御ＣＰＵ１１３に接続されている。プリンター制御部１５２は、制御ＣＰＵ１１３の制御指令に従ってプリンター部１５０を制御する。
【００６５】
画像処理部（プリント＆スキャナーコントローラー）１６０は、画像形成装置をネットワークプリンターやネットワークスキャナーとして使用する場合に、ＬＡＮ３に接続される外部装置４などから画像データ等を画像形成装置１で受信したり、スキャナー部１３０で取得した画像データを外部装置４などに送信したりするものである。
【００６６】
画像処理部（プリント＆スキャナーコントローラー）１６０では、ＤＲＡＭ制御ＩＣ１６１に画像メモリー（ＤＲＡＭ）１６２が接続されている。画像メモリー（ＤＲＡＭ）１６２はＤＲＡＭなどで構成される。また、画像処理部（プリント＆スキャナーコントローラー）１６０では、共通バスに、ＤＲＡＭ制御ＩＣ１６１と、コントローラー制御ＣＰＵ１６３と、ＬＡＮインターフェース１６５と、ＨＤＤ１６６と、が接続されている。コントローラー制御ＣＰＵ１６３は画像処理部（プリント＆スキャナーコントローラー）１６０全体の制御を行うものである。ＬＡＮインターフェース１６５は、ＬＡＮ３に接続されている。
【００６７】
次に、画像形成装置１の基本動作について説明する。
まず、画像形成装置１において画像データを蓄積する手順について説明する。
第１に、画像形成装置１において、スキャナー部１３０で画像を読み取り画像データを生成する場合について説明する。
まず、制御ＣＰＵ１１３は、操作部１４０における操作入力に基づいてスキャナー部１３０へ指令を発行する。スキャナー部１３０では、制御ＣＰＵ１１３から指令を受けたスキャナー制御部１３２がＣＣＤ１３１の動作制御を行い、ＣＣＤ１３１が原稿から画像を光学的に読み取る。この際には、原稿の読み取りは、自動原稿搬送装置（ＡＤＦ）１４によって行ってもよい。また、プラテンガラス上に原稿を置いて原稿の画像の読み取りを行ってもよい。
【００６８】
ＣＣＤ１３１で読み取られた画像は、読み取り処理部１１６でデータ処理がなされ、データ処理された画像データは、圧縮ＩＣ１１８において所定の方法によって圧縮され、圧縮された画像データはＤＲＡＭ制御ＩＣ１１１を介して圧縮メモリー１２１に格納される。また、ＨＤＤ１２７に格納する場合は、圧縮メモリー１２１に格納された画像データを、ＤＲＡＭ制御ＩＣ１１１を介してＨＤＤ１２７に格納する。
【００６９】
第２に、画像データを外部から取得する場合について説明する。
画像データは、ＬＡＮ３を介して画像形成装置１に入力される。入力される画像データとしては、例えば外部装置４のアプリケーションプログラム等により生成されたものや、他の画像形成装置により生成されたものが挙げられる。画像データは、画像処理部（プリント＆スキャナーコントローラー）１６０のＬＡＮインターフェース１６５で受信され、ＤＲＡＭ制御ＩＣ１６１によって画像メモリー（ＤＲＡＭ）１６２やＨＤＤ１６６に一旦格納される。一旦格納されたデータは、ＰＣＩバス１１２を介してコピア本体のＤＲＡＭ制御ＩＣ１１１に転送され、その後、ページメモリー１２２に一旦格納される。ページメモリー１２２に格納されたデータは、ＤＲＡＭ制御ＩＣ１１１を介して圧縮ＩＣ１１８に順次送られて圧縮処理され、ＤＲＡＭ制御ＩＣ１１１を介して圧縮メモリー１２１に格納される。圧縮処理されたデータをＨＤＤ１２７に格納する場合には、圧縮メモリー１２１に格納されたデータが、ＤＲＡＭ制御ＩＣ１１１を介してＨＤＤ１２７に格納される。
【００７０】
次に、画像形成装置１において画像形成を行う場合について説明する。
画像形成装置１で印刷を行う場合、圧縮メモリー１２１に格納された画像データが、ＤＲＡＭ制御ＩＣ１１１を介して伸長ＩＣ１２５に送出され、伸長ＩＣ１２５においてデータが伸長される。なお、ＨＤＤ１２７に格納された画像データを画像出力する場合は、画像データは、ＤＲＡＭ制御ＩＣ１１１を介して一旦圧縮メモリー１２１に格納され、その後、画像データがＤＲＡＭ制御ＩＣ１１１を介して伸長ＩＣ１２５に送出され、伸長ＩＣ１２５においてデータが伸長される。
【００７１】
伸長ＩＣ１２５で伸長されたデータは、書き込み処理部１２６に送出され、書き込み処理部１２６において書き込みデータが生成される。書き込みデータはプリンター部１５０でＬＤ１５１Ａに送られ、書き込みデータに基づいて、ＬＤ１５１Ａによって感光体１１ａへの書き込みが行われる。また、プリンター部１５０では、制御ＣＰＵ１１３の指令を受けたプリンター制御部１５２によって、本体給紙部１２、大容量給紙装置４０、搬送路１３、画像形成部１１などの各部の制御が行われる。これにより、プリンター部１５０において、画像形成、用紙への転写、定着、搬送路による後処理装置３０への搬送、後処理装置３０での後処理、排紙などが順次行われて印刷出力が行われる。
また、画像データとしては、不揮発メモリー１１５やＨＤＤ１２７などの記憶部に予め格納されたものを用いることもできる。
【００７２】
次に、用紙上の画像を読み取った読み取り画像データに基づいて画像の異常を判定する動作、および、異常が誤検知であると判明した際の動作について説明する。
【００７３】
画像形成装置１では、読取装置２０で出力物の読み取りを行い、読み取りデータと印刷画像データとを比較することで、用紙上の画像に異常があるかを判定することができる。印刷用データと比較して差異がある場合に異常と判定し、出力物をヤレとして検知する。
【００７４】
しかし、読み取り画像データは、センサーやスキャナーのガラスに付着するゴミによる影響を受けるため、センサーに紙粉のようなゴミが付着した場合、出力物に問題がない場合でも、読取結果における画像データにスジ状の画像が残ってしまいヤレと判定されてしまう。
【００７５】
そこで、本実施形態では、画像読取部２４で取得した読み取り画像の異常が、画像読取部２４の異常に起因するものである可能性があると判定された場合、センサー上のゴミによる画像不良の可能性を考慮して、次の出力物を読み取るまでの間に簡易的なセンサーの清掃を実施する。その後、清掃後のセンサーによって次の出力物の画像を読み取り、次の出力物の読み取り画像に直前の画像データと同じ位置にスジ状汚れが検知されなければ、直前の画像データもセンサー上のゴミによるヤレ誤検知と判断し、直前の画像データは正常なものとして記憶する。
【００７６】
もし、清掃後も同位置にスジ状汚れが検知された場合、センサー上の除去可能なゴミによる誤検知ではないと判断し、直前の画像データと、現在読み取った画像データとをヤレとして記憶する。画像読取部２４の異常に起因する汚れとしては、用紙搬送方向に連続する画像、例えばスジ状の汚れが挙げられる。
センサーの清掃は、本発明の異常除去動作に相当する。なお、センサーの清掃方法は本発明としては特に限定されず、短時間で行うことが可能なものであれば所望の清掃方法を採用することができ、例えば、ブラシや気体の吹き付けなどによって行うことができる。
【００７７】
図３は、画像読取部２４のラインセンサーに紙粉などのゴミが付いた際の読取画像を説明するための図である。
図３では、ジョブの実行に伴って、用紙Ｐ１、Ｐ２、Ｐ３、Ｐ４が順番に連続して搬送されており、用紙Ｐ１がラインセンサーを通過した後に、紙粉などのゴミＧがセンサーに付着した状態を示している。この状態で用紙Ｐ２上の画像の読み取りを行うと読み取り画像にスジ状汚れＬが含まれてしまう。なお、図３ではスジ状汚れＬが用紙上に描かれているが、実際には用紙上の汚れは存在するものではなく、読み取り画像に用紙搬送方向に連続するスジ状汚れＬが生じている。
【００７８】
本実施形態では、用紙Ｐ２の読取結果に読み取り画像にスジ状汚れＬが検出された場合、ページ間（紙間）でセンサーの簡易清掃を実施し、その後、用紙Ｐ３上の画像を読み取り、読み取り画像の異常の有無を判定する。用紙Ｐ３の画像の読み取り結果においてもスジ状汚れＬが検出された場合は、機械異常によるヤレとして装置を停止する。スジ状汚れＬが検出されず、問題ないと判定された場合は、センサーのゴミによる影響と判断して、問題が生じていない（誤検知であった）と判定する。それに伴い、直前の用紙である用紙Ｐ２上の画像もヤレではないと判断する。
【００７９】
ジョブの出力中に上記判定が行われたのであれば出力動作を継続する。これにより、生産性の低下を防ぐことができる。また、ジョブの出力後であれば、用紙Ｐ２上の画像をヤレとして記憶しないようにする。これにより、例えば読取画像をプレビュー画面において表示する際にヤレとして表示しないようにすることができる。
なお、図３の例では、用紙Ｐ２上の読取結果は、本発明の第１の読取結果に相当し、用紙Ｐ３上の読取結果は本発明の第２の読取結果に相当する。
【００８０】
上記動作の詳細な手順を図４のフローチャートに基づいて説明する。なお、以下の動作は制御部または情報処理制御部の制御により実行される。
ジョブの印刷に伴ってヤレ解析を実施する（ステップｓ１）。ヤレ解析では、画像読取部で読み取った読取画像と、ジョブの印刷用画像データにおける印刷画像とを比較し、同一であるかによってヤレ判定を行う。前者は、本発明の第１の読取結果に相当する。両者が一致せず、ヤレを検知したかを判定する（ステップｓ２；以降同様である）。両者が同一でヤレが検知されなかった場合（ステップｓ２、Ｎｏ）、手順を終了する。
ステップｓ２でヤレを検知した場合（ステップｓ２、Ｙｅｓ）、ヤレがゴミ起因の可能性があるものかを判定する（ステップｓ３）。判定は、読取画像の汚れが用紙搬送方向に沿ったスジ状であるかによって行う。ヤレがゴミ起因の可能性でない場合（ステップｓ３、Ｎｏ）、現在のページをヤレであると判定し（ステップｓ９）、手順を終了する。上記手順をページ毎に繰り返すことができる。
【００８１】
ステップｓ３においてゴミ起因のヤレの可能性があると判定した場合（ステップｓ３、Ｙｅｓ）、センサーの簡易清掃を実施し（ステップｓ４）、次のページの画像を読み取ってヤレ解析を実施し（ステップｓ５）、次のページでヤレを検知したかを判定する（ステップｓ６）。ヤレと検知しなかった場合（ステップｓ６、Ｎｏ）、前のページはヤレではないと判定し（ステップｓ１０）、処理を終了する。
一方、ヤレを検知した場合（ステップｓ６、Ｙｅｓ）、前のページと同位置の汚れを検知したかを判定する（ステップｓ７）。前ページと同位置の汚れであった場合（ステップｓ７、Ｙｅｓ）、前のページと現在のページとをヤレと判定し（ステップｓ８）、手順を終了する。前ページと同位置の汚れでなかった場合（ステップｓ７、Ｎｏ）、現在のページをヤレであると判定し（ステップｓ９）、手順を終了する。
【００８２】
なお、上記実施形態においてはセンサーの清掃を用紙間で行うことが望ましいが、必ずしも用紙間で清掃を行う必要はない。例えば、一旦用紙の搬送を停止し、その間に清掃を行うような形態としてもよい。また、用紙Ｐ３上の画像の読み取りを行わずにその間にセンサーの清掃を行い、用紙Ｐ４から読み取りを再開および判定を再開するようにしてもよい。
【００８３】
（実施形態２）
上記実施形態では、ヤレの原因が画像読取部２４の除去可能なゴミによるものであるかを判定したが、ヤレをリアルタイムで検知するシステムの場合、実施形態１の動作を行った後に、画像読取部２４のセンサー上のゴミによる誤検知と判断した場合には出力処理を継続して実行し、センサー上のゴミによる誤検知でないと判断した場合には当該用紙をヤレと判定し、出力処理を中止し、警告や各部の清掃や点検を行うようユーザーに促す通知を行うようにしてもよい。ユーザーへの警告や通知は、操作部１４０や外部装置４の表示操作部４１０へのメッセージの表示によって行ってもよく、ネットワークなどを介して通信により他の装置に警告や通知するようにしてもよい。出力処理の中止やユーザーへの警告や通知は、本発明における所定の異常処理に相当する。
【００８４】
図５は、上記動作の詳細な手順を示すフローチャートである。なお、以下の動作は制御部または情報処理制御部の制御により実行される。
用紙上の画像を読み取った読み取り画像に基づいてヤレの解析を実施すると（ステップｓ１１）、ヤレを検知したかを判定する（ステップｓ１２）。ヤレを検知しなかった場合（ステップｓ１２、Ｎｏ）、手順を終了する。
一方、ヤレを検知した場合（ステップｓ１２、Ｙｅｓ）、ヤレがゴミ起因のヤレであるかを判定する（ステップｓ１３）。判定は、読取画像の汚れがスジ状であるかなどに基づいて行う。ゴミ起因のヤレでない場合（ステップｓ１３、Ｎｏ）、出力処理を停止し（ステップｓ２０）、現在のページがヤレであるというメッセージを操作表示部１４０のパネル等に表示し（ステップｓ２１）、処理を終了する。メッセージの表示場所は特に限定されない。
【００８５】
一方、ステップｓ１３において、ヤレがゴミ起因のヤレの可能性があると判定した場合（ステップｓ１３、Ｙｅｓ）、センサーの簡易清掃を実施し（ステップｓ１４）、次のページのヤレ解析を実施し（ステップｓ１５）、次のページでヤレを検知したかを判定する（ステップｓ１６）。ヤレを検知しなかった場合（ステップｓ１６、Ｎｏ）、手順を終了する。一方、ヤレを検知した場合（ステップｓ１６、Ｙｅｓ）、出力処理を停止し（ステップｓ１７）、検知した汚れが前のページと同位置の汚れであるかを検知する（ステップｓ１８）。前のページと同じ位置の汚れである場合（ステップｓ１８、Ｙｅｓ）、センサーの清掃を促すメッセージをパネル等に表示し（ステップｓ１９）、手順を終了する。
一方、前のページと同じ位置の汚れでない場合（ステップｓ１８、Ｎｏ）、現ページがヤレであるというメッセージをパネルに表示し（ステップｓ２１）、手順を終了する。メッセージの表示場所は特に限定されず、表示は操作表示部１４０において行っても良く、外部装置４の表示操作部４１０において行ってもよい。
【００８６】
（実施形態３）
ヤレをリアルタイムで検知して、ヤレと判定された場合に排紙トレイを切り替えて出力するシステムの場合は、ヤレがセンサー上のゴミに起因する誤検知であるかに応じて出力先を変更するようにしてもよい。例えば、上記実施形態に基づいて、検知されたヤレがセンサー上のゴミによる誤検知であるかを判定した後、センサー上のゴミによる誤検知と判断された場合には通常通りに出力処理を継続して実行し、センサー上のゴミによる誤検知ではないと判断され、かつ、画像読取装置と排紙トレイとの間にある搬送路で出力先を切り替えることが可能な構成である場合は、用紙をヤレ用出力トレイに出力するように制御する。例えば、誤検知の場合は通常通り第２排紙部３２へ排紙し、誤検知でない場合は第１排紙部へ排紙する。
なお、画像読取部の先で出力先を切り替えることが不可能な構成の場合には実施形態２と同様の処理を行う。
【００８７】
図６は、上記動作の詳細な手順を示すフローチャートである。なお、以下の動作は制御部または情報処理制御部の制御により実行される。
まず、画像読取部よりも下流側で出力先の切り替えが可能であるかを判定する（ステップｓ３１）。
出力先の切り替えが不可である場合（ステップｓ３１、Ｎｏ）、図５のフローを実施する。出力先の切り替えが可能である場合（ステップｓ３１、Ｙｅｓ）、ヤレの解析を実施し（ステップｓ３２）、ヤレを検知したかを判定する（ステップｓ３３）。この実施形態では、後処理部３０において用紙の排出先を第１排紙部と第２排紙部とで切り替えることができる。
ヤレの検知は、入力画像データと読取画像データとを比較することにより行う。ヤレが検知されなかった場合（ステップｓ３３、Ｎｏ）、手順を終了する。
ステップｓ３３でヤレを検知した場合（ステップｓ３３、Ｙｅｓ）、ヤレがゴミ起因の可能性があるものかを判定する（ステップｓ３４）。判定は読取画像の汚れがスジ状であるかなどによって行う。ヤレがゴミ起因のものでない場合（ステップｓ３４、Ｎｏ）、現在のページの出力先をヤレ用トレイに切り替え（ステップｓ４１）、手順を終了する。
【００８８】
一方、ステップｓ３４において、ゴミ起因のヤレの可能性があると判定した場合（ステップｓ３４、Ｙｅｓ）、センサーの簡易清掃を実施し（ステップｓ３５）、次のページの画像を読み取ってヤレ解析を実施する（ステップｓ３６）。
その後、次のページでヤレが検知されたかを判定する（ステップｓ３７）。ヤレを検知しなかった場合（ステップｓ３７、Ｎｏ）、処理を終了する。この場合、前ページはヤレでないと判断され、通常の出力先へ排紙される。
一方、次ページでヤレを検知した場合（ステップｓ３７、Ｙｅｓ）、出力処理を停止し（ステップｓ３８）、前のページと同位置の汚れを検知したかを判定する（ステップｓ３９）。前ページと同位置の汚れであった場合（ステップｓ３９、Ｙｅｓ）、前ページと現在のページがヤレであると判定し、前のページと現在のページの出力先をヤレ用トレイに切り替える（ステップｓ４０）。一方、前ページと同位置の汚れでない場合（ステップｓ３９、Ｎｏ）、前ページはヤレでないが現在のページがヤレであると判断し、現在のページの出力先をヤレ用トレイに切り替え（ステップｓ４１）、手順を終了する。
【００８９】
（実施形態４）
実施形態１〜３では枚葉紙を想定していたが、ロール紙等の連続紙で同様の問題が発生した場合、各ページの間隔が枚葉紙と比べて短く、画像と画像との間でセンサーの清掃を行うのが通常は困難である。また、機械を止めてしまうとロール紙の断裁が必要になり、不要なヤレ紙を発生させてしまい、また搬送の再開が面倒であるなどの問題がある。
【００９０】
図７は、連続紙に形成された画像の読み取り中にセンサーに紙粉などのゴミＧが付着した際の画像読取と画像読取結果を示すものである。
画像読取部２４のラインセンサーでロール紙ＲＰ上の画像Ｉ１を読み取った後に、紙粉などのゴミＧがセンサーに付着したため、画像Ｉ２以降で読み取り画像にラインＬが現れる。
この実施形態では、ロール紙を扱う機械で画像読取装置による読み取り画像にスジ状の汚れが検知された場合、次のページの読み取りを行わず、その間にセンサーの清掃を実施することができる。その後、その次のページで読み取りを再開し、スジ状汚れの検知を行う。スジ状汚れが検知されなければ、センサーに付着したゴミによる誤検知として処理を継続する。スジ状汚れが検知された場合は出力処理を中止し、各部の清掃や点検を行うようユーザーに促すなどの異常処理を行う。
【００９１】
上記動作の詳細な手順を図８のフローチャートに基づいて説明する。なお、以下の動作は制御部または情報処理制御部の制御により実行される。
用紙上の画像を読み取った読み取り画像に基づいてヤレの解析を実施し（ステップｓ５１）、ヤレを検知したかを判定する（ステップｓ５２）。ヤレを検知していない場合（ステップｓ５２、Ｎｏ）、フローを終了する。
ヤレを検知した場合（ステップｓ５２、Ｙｅｓ）、センサーに付着したゴミに起因するヤレの可能性があるかを判定する（ステップｓ５３）。判定は、読取画像の汚れがスジ状であるかなどによって行う。ゴミに起因するヤレの可能性がないと判定した場合（ステップｓ５３、Ｎｏ）、出力処理を停止し（ステップｓ６１）、現ページがヤレであるというメッセージをパネルに表示する（ステップｓ６２）。
【００９２】
一方、ゴミに起因するヤレの可能性があると判定した場合（ステップｓ５３、Ｙｅｓ）、次のページの解析を中止し（ステップｓ５４）、センサーの簡易清掃を実施する（ステップｓ５５）。解析の中止に際しては、画像の読み取りも中止してもよい。
センサーの簡易清掃後、次々ページのヤレ解析を実施し（ステップｓ５６）、ヤレを検知したかを判定する（ステップｓ５７）。ヤレを検知しなかった場合（ステップｓ５７、Ｎｏ）、前々ページはヤレでないと判断し、フローを終了する。一方、ヤレを検知した場合（ステップｓ５７、Ｙｅｓ）、出力処理を停止し、（ステップｓ５８）、前々ページと同じ位置の汚れを検知したかを判定する（ステップｓ５９）。前々ページと同じ位置の汚れを検知した場合（ステップｓ５９、Ｙｅｓ）、センサーの清掃を促すメッセージをパネルに表示し（ステップｓ６０）、フローを終了する。一方、前々ページと異なる位置の汚れを検知した場合（ステップｓ５９、Ｎｏ）、現ページがヤレであるというメッセージをパネルに表示し（ステップｓ６２）、フローを終了する。
【００９３】
（実施形態５）
実施形態４では、スジ状汚れの検知直後のページでは読み取りを行わず、その間にセンサーの清掃を行っていたが、読み取りを行わなかったページがヤレであった場合を考慮して、ジョブの末尾後に読み取りを行わなかったページの追加印刷を行うようにして解析を行うようにしてもよい。この場合、追加印刷を行ったことをユーザーに通知するようにしてもよい。これにより、全ページに対してヤレの判定を行うことが可能となる。
【００９４】
図９は、上記動作の詳細な手順を示すフローチャートである。なお、以下の動作は画像形成装置の制御部により実行される。
まず、用紙上の画像を読み取った読み取り画像に基づいてヤレの解析を実施し（ステップｓ７１）、ヤレを検知したかを判定する（ステップｓ７２）。ヤレを検知していない場合（ステップｓ７２、Ｎｏ）、フローを終了する。
一方、ヤレを検知した場合（ステップｓ７２、Ｙｅｓ）、センサーに付着したゴミに起因するヤレの可能性があるかを判定する（ステップｓ７３）。判定は、読取画像の汚れがスジ状であるかなどに基づいて行う。センサーのゴミに起因するヤレの可能性がないと判定した場合（ステップｓ７３、Ｎｏ）、出力処理を停止し（ステップｓ８１）、現ページがヤレであるというメッセージをパネルに表示する（ステップｓ８２）
【００９５】
一方、センサーのゴミに起因するヤレの可能性があると判定した場合（ステップｓ７３、Ｙｅｓ）、次のページの解析を中止し（ステップｓ７４）、センサーの簡易清掃を実施する（ステップｓ７５）。そして、次々ページのヤレ解析を実施し（ステップｓ７６）、ヤレを検知したかを判定する（ステップｓ７７）。ヤレを検知しなかった場合（ステップｓ７７、Ｎｏ）、ステップｓ７４で解析を行わなかったページをジョブ末尾に出力するように追加する（ステップｓ８３）。
一方、ステップｓ７７においてヤレを検知した場合（ステップｓ７７、Ｙｅｓ）、出力処理を停止し、（ステップｓ７８）、前々ページと同じ位置の汚れを検知したかを判定する（ステップｓ７９）。前々ページと同じ位置の汚れを検知した場合（ステップｓ７９、Ｙｅｓ）、センサーの清掃を促すメッセージをパネルに表示し（ステップｓ８０）、フローを終了する。一方、前々ページと異なる位置の汚れを検知した場合（ステップｓ７９、Ｎｏ）、現ページがヤレであるというメッセージをパネルに表示し（ステップｓ８２）、フローを終了する。
【００９６】
なお、実施形態１〜５の各動作は画像形成装置１の制御部または情報処理装置の情報処理制御部で実施されるものとして説明したが、読取装置内に読取制御部を設け、該読取制御部によって、転写媒体上の画像を画像読取部で読み取った第１の読取結果を取得して画像を解析する処理、前記解析において読み取った画像に所定の異常があると判定した場合、前記画像読取部における異常を除去する処理、除去処理後の前記画像読取部によって転写媒体上の画像を読み取った第２の読取結果を取得し、前記第２の読取結果に基づいて画像を解析し、前記解析における異常の状態に応じて、第１の読取結果の対象となった転写媒体上の画像の異常をさらに判定する処理を行うものとしてもよい。処理結果は、画像形成装置の制御部に通知し、制御部において異常処理を行うことができる。この場合の読取装置は、画像形成装置に組み込まれるものでもよく、また、画像形成装置にインラインで接続されるものでもよい。さらに、画像形成装置に機械的に接続しない形態とすることも可能である。
【００９７】
以上、本発明について上記実施形態および添付図面に基づいて説明したが、本発明の範囲は上記実施形態の説明の内容に限定されるものではなく、本発明の範囲を逸脱しない限りは上記実施形態に対する適宜の変更が可能である。
【符号の説明】
【００９８】
１    画像形成装置
３    ＬＡＮ
４    外部装置
１０    装置本体
１１    画像形成部
２０    読取装置
２４    画像読取部
３０    後処理装置
３４    後処理部
１００    制御部
１１３    制御ＣＰＵ
１１５    不揮発メモリー
１２７    ＨＤＤ
４００    外部装置制御部
Ｇ    ゴミ
Ｐ１、Ｐ２、Ｐ３、Ｐ４  用紙
Ｉ１、Ｉ２、Ｉ３、Ｉ４  画像
ＲＰ  ロール紙
【図１】
2018088620.tif 000003
【図２】
2018088620.tif 000004
【図３】
2018088620.tif 000005
【図４】
2018088620.tif 000006
【図５】
2018088620.tif 000007
【図６】
2018088620.tif 000008
【図７】
2018088620.tif 000009
【図８】
2018088620.tif 000010
【図９】
2018088620.tif 000011